(57)【要約】【課題】絶縁ハウジングに設けられた板状部材差込み部に差し込まれた配線板状部材について、板状部材差込み部からの不所望な抜脱を確実に阻止できるとともに、板状部材差込み部からの意図的な抜脱を容易に行うことができるコネクタ装置を提供する。【解決手段】板状部材差込み部１２及びそれに連なる空間拡大部１１Ｓが設けられた絶縁ハウジング１１と、板状部材差込み部１２に差し込まれたフレキシブル印刷配線基板３０を係止するロック部材１５とを備え、板状部材差込み部１２にフレキシブル印刷配線基板３０が差し込まれるとき、ロック部材１５に形成された係止部１７が、フレキシブル印刷配線基板３０における可動部分３３を空間拡大部１１Ｓに一時的に収容されるように変形移動させるとともに、その後、可動部分３３を係止する状態をとり、また、ロック部材１５の操作に応じて、係止部１７が可動部分３３に対する係止を解除する。【選択図】図８
2016046149.tif 000002
【特許請求の範囲】
【請求項１】
板状部材差込み部が内部空間部を成すものとして設けられた絶縁ハウジングと、
該絶縁ハウジングに配列配置されて、配線板状部材が上記板状部材差込み部に差し込まれたとき、該配線板状部材における複数の接続端子部に接触接続される複数のコンタクトと、
上記板状部材差込み部に差し込まれた配線板状部材を係止するロック部材と、
を備えて成り、
上記絶縁ハウジングの内部に、上記板状部材差込み部に連なる空間拡大部が形成されており、
上記ロック部材が、上記絶縁ハウジングに対して回動可能とされて、上記絶縁ハウジングにおける上記板状部材差込み部に近接した第１の状態と上記絶縁ハウジングにおける上記板状部材差込み部から離隔した第２の状態とを選択的にとるものとされ、
上記ロック部材に、該ロック部材が上記第１の状態をとるとき上記空間拡大部に対応する位置において上記板状部材差込み部内に突出し、上記ロック部材が上記第２の状態をとるとき上記板状部材差込み部外に退避する係止部が形成されており、
上記ロック部材が上記第１の状態をとるもとで上記板状部材差込み部に配線板状部材が差し込まれるとき、上記係止部が、上記配線板状部材における可動部分に当接して該可動部分を上記空間拡大部に一時的に収容されるように変形移動させるとともに、その後、上記配線板状部材における上記可動部分に隣接する係合部分に係合して上記可動部分を係止する状態をとり、また、上記可動部分が上記係止部により係止されたもとで上記ロック部材が上記第２の状態をとるとき、上記係止部が、上記可動部分に対する係止を解除することを特徴とするコネクタ装置。
【請求項２】
上記ロック部材が、上記第１の状態をとるとき上記絶縁ハウジングにおける上記複数のコンタクトの配列に上記板状部材差込み部を介して対向する板状部分を覆う平板状部を有していることを特徴とする請求項１記載のコネクタ装置。
【請求項３】
上記係止部が、上記ロック部材における上記平板状部に形成されており、上記絶縁ハウジングにおける上記板状部分に上記係止部を通す貫通開口部が設けられていることを特徴とする請求項２記載のコネクタ装置。
【請求項４】
上記絶縁ハウジングに、該絶縁ハウジングにおける上記複数のコンタクトの配列に上記板状部材差込み部を介して対向する板状部分を覆うシェル部材が取り付けられており、上記ロック部材が上記シェル部材の外側に配されることを特徴とする請求項１記載のコネクタ装置。
【請求項５】
上記絶縁ハウジングにおける上記板状部分及び上記シェル部材の夫々に上記係止部を通す貫通開口部が設けられていることを特徴とする請求項４記載のコネクタ装置。
【請求項６】
上記シェル部材又は上記絶縁ハウジングに第１の係合部が形成されるとともに、上記ロック部材に第２の係合部が形成され、上記ロック部材が上記第１の状態をとるとき、上記第１及び第２の係合部が相互係合して、上記ロック部材を上記第１の状態に維持することを特徴とする請求項１記載のコネクタ装置。
【請求項７】
上記絶縁ハウジングの内部に形成された上記空間拡大部に、上記板状部材差込み部に差し込まれた配線板状部材に当接して該配線板状部材に弾性押圧力を作用させる弾性部材が配されることを特徴とする請求項１記載のコネクタ装置。
【請求項８】
上記絶縁ハウジングに、該絶縁ハウジングにおける上記複数のコンタクトの配列に上記板状部材差込み部を介して対向する板状部分を覆うシェル部材が取り付けられており、上記ロック部材が上記シェル部材の外側に配されるとともに、上記弾性部材が上記シェル部材から上記絶縁ハウジングを貫通して上記空間拡大部内へと伸びていることを特徴とする請求項７記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、その配線板状部材に設けられた接続端子部を他の配線基板に電気的に接続された状態とするため、装着された配線板状部材に設けられた接続端子部に接触接続されるコンタクト及び装着された配線板状部材をその不所望な離脱を阻止すべく係止するロック手段を備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて装着されるコネクタ装置が用いられて行われることが多いものとされる。このような配線板状部材の主配線基板への取付けにあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部における端子に電気的に接続する。
【０００３】
従来提案されている、例えば、フレキシブル印刷配線基板とされる配線板状部材の主配線基板への取付けに用いられるコネクタ装置は、配線板状部材が差し込まれる板状部材差込み部が設けられたものとされて主配線基板に配される、絶縁材料によって形成された絶縁ハウジングを有していて、その絶縁ハウジング内に配列配置されて設けられて主配線基板に設けられた配線端子に連結され、配線板状部材が絶縁ハウジングに設けられた板状部材差込み部に差し込まれるとき、その配線板状部材に設けられた複数の接続端子部に夫々対応するものとなる複数のコンタクトが備えられたものとされることが多い。そして、複数のコンタクトが配線板状部材に設けられた複数の接続端子部に夫々接触接続された状態におかれることにより、配線板状部材が主配線基板との電気的接続状態におかれる。
【０００４】
このような従来提案されているコネクタ装置にあっては、例えば、フレキシブル印刷配線基板とされる配線板状部材が、主配線基板に配された絶縁ハウジングに設けられた板状部材差込み部に差し込まれて、絶縁ハウジング内に配された複数のコンタクトが、板状部材差込み部に差し込まれた配線板状部材における複数の接続端子部に夫々接触接続され、それにより、配線板状部材が主配線基板との電気的接続状態におかれるにあたり、配線板状部材が絶縁ハウジングに設けられた板状部材差込み部から不所望に抜脱するような事態が回避されなくてはならない。当然のことながら、絶縁ハウジング内に配された複数のコンタクトが板状部材差込み部に差し込まれた配線板状部材における複数の接続端子部に夫々接触接続された状態が適正に維持されるためには、板状部材差込み部に差し込まれた配線板状部材が、その状態を安定に維持することができ、板状部材差込み部から不所望に抜脱されるような事態をまねかないものとされることが必要とされるのである。
【０００５】
そのため、上述のような、絶縁ハウジングを有し、複数のコンタクトが備えられたコネクタ装置であって、絶縁ハウジングに設けられた板状部材差込み部に差し込まれた配線板状部材に係合して、当該配線板状部材の板状部材差込み部からの不所望な抜脱を阻止するロック手段を備えたコネクタ装置も従来提案されている（例えば、特許文献１参照。）。
【０００６】
特許文献１に示されるコネクタ装置（コネクタ(2))にあっては、絶縁ハウジング（ハウジング）に、配線板状部材（ＦＰＣ(1))がＦＰＣ挿入口(4) を通じて差し込まれる板状部材差込み部が、ＦＰＣ挿入口(4) に連なる内部空間を成すものとして形成されており、さらに、一端部側が絶縁ハウジングに埋め込まれて片持ちばね状を成すものとして保持されたロック手段（ロックばね(6))が設けられている。そして、ロック手段の他端部側を成す自由端部に設けられたロックばね凸曲部(8) が、絶縁ハウジング内に形成された板状部材差込み部に臨むものとされている。
【０００７】
このようなもとで、配線板状部材がＦＰＣ挿入口(4) を通じて板状部材差込み部に差し込まれると、ロック手段におけるロックばね凸曲部(8) が、配線板状部材に設けられたＦＰＣ凸部(3) に当接して、ＦＰＣ凸部(3) を凸部受け入れ空間(7) に押し込むことで配線板状部材に対する係止状態をとる。それにより、板状部材差込み部に差し込まれた配線板状部材の板状部材差込み部からの不所望な抜脱が阻止される。
【先行技術文献】
【特許文献】
【０００８】
【特許文献１】特許第４０３５１１４号公報（段落００１３，００２０〜００２３，図１〜３）
【発明の概要】
【発明が解決しようとする課題】
【０００９】
上述のような、特許文献１に記載された、絶縁ハウジングに設けられた板状部材差込み部に差し込まれた配線板状部材の板状部材差込み部からの不所望な抜脱を阻止するロック手段を備えたものとして従来提案されているコネクタ装置においては、ＦＰＣ挿入口を通じて板状部材差込み部に差し込まれて、ロック手段におけるロックばね凸曲部によりＦＰＣ凸部を凸部受け入れ空間に押し込むことで係止状態におかれた配線板状部材を係止状態から解放して、板状部材差込み部から意図的に抜脱させるに際しては、ロック手段におけるロックばね凸曲部の配線板状部材に設けられたＦＰＣ凸部に対する当接により押し曲げられたＦＰＣ凸部を元の状態に復帰させるための特殊な治具、例えば、格別に用意された工具等が必要とされ、さらに、その特殊な治具を用いた煩わしい解除作業が要求される。即ち、特許文献１に記載された従来提案されているコネクタ装置にあっては、絶縁ハウジングに設けられた板状部材差込み部にＦＰＣ挿入口を通じて差し込まれて、一旦、ロック手段におけるロックばね凸曲部によりＦＰＣ凸部が押し曲げられて係止状態におかれた配線板状部材を、板状部材差込み部から意図的に抜脱させるにあたり、特殊な治具とそれを用いた煩わしい作業とが必要とされるという不都合が見られるのである。
【００１０】
斯かる点に鑑み、本願の特許請求の範囲に記載された発明は、配線板状部材が差し込まれる板状部材差込み部が設けられた絶縁ハウジングと、絶縁ハウジング内に配列配置されて設けられ、板状部材差込み部に差し込まれた配線板状部材に設けられた複数の接続端子部に夫々接触接続される複数のコンタクトと、板状部材差込み部に差し込まれた配線板状部材を係止するロック部材とを備えたコネクタ装置であって、板状部材差込み部に差し込まれた配線板状部材をロック部材による係止状態のもとに置いて、当該配線板状部材の板状部材差込み部からの不所望な抜脱を確実に阻止することができるとともに、必要に応じて、板状部材差込み部に差し込まれた配線板状部材に対するロック部材による係止状態を、特殊な治具やそれを用いた煩わしい作業等を必要とすることなく、容易に解除することができ、配線板状部材の板状部材差込み部からの意図的な抜脱を可能とするものを提供する。
【課題を解決するための手段】
【００１１】
本願の特許請求の範囲における請求項１から請求項８までのいずれかに記載された発明（以下、本願発明という。）に係るコネクタ装置は、板状部材差込み部が内部空間部を成すものとして設けられた絶縁ハウジングと、絶縁ハウジングに配列配置されて、配線板状部材が板状部材差込み部に差し込まれたとき、その配線板状部材における複数の接続端子部に接触接続される複数のコンタクトと、板状部材差込み部に差し込まれた配線板状部材を係止するロック部材とを備えて成る。そして、斯かる本願発明に係るコネクタ装置にあっては、絶縁ハウジングの内部に、板状部材差込み部に連なる空間拡大部が形成されており、ロック部材が、絶縁ハウジングに対して回動可能とされて、絶縁ハウジングにおける板状部材差込み部に近接した第１の状態と絶縁ハウジングにおける板状部材差込み部から離隔した第２の状態とを選択的にとるものとされ、ロック部材に、当該ロック部材が第１の状態をとるとき空間拡大部に対応する位置において板状部材差込み部内に突出し、当該ロック部材が第２の状態をとるとき板状部材差込み部外に退避する係止部が形成されており、ロック部材が第１の状態をとるもとで板状部材差込み部に配線板状部材が差し込まれるとき、係止部が、配線板状部材における可動部分に当接してその可動部分を空間拡大部に一時的に収容されるように変形移動させるとともに、その後、配線板状部材における可動部分に隣接する係合部分に係合して可動部分を係止する状態をとり、また、可動部分が係止部により係止されたもとでロック部材が第２の状態をとるとき、係止部が、可動部分に対する係止を解除することが特徴とされる。
【００１２】
上述のような本願発明に係るコネクタ装置にあっては、複数のコンタクトが配列配置されるとともに板状部材差込み部が内部空間部を成すものとして設けられた絶縁ハウジングの内部に、板状部材差込み部に連なる空間拡大部が形成されており、また、絶縁ハウジング対して回動可能とされ、絶縁ハウジングにおける板状部材差込み部に近接した第１の状態と絶縁ハウジングにおける板状部材差込み部から離隔した第２の状態とを選択的にとるものとされたロック部材に、当該ロック部材が第１の状態をとるとき空間拡大部に対応する位置において板状部材差込み部内に突出し、当該ロック部材が第２の状態をとるとき板状部材差込み部外に退避する係止部が形成されている。そして、ロック部材が第１の状態をとるもとで板状部材差込み部に配線板状部材が差し込まれるとき、ロック部材に形成された係止部が、配線板状部材における可動部分に当接してその可動部分を空間拡大部に一時的に収容されるべく変形移動させるとともに、その後、配線板状部材における可動部分に隣接する係合部分に係合して可動部分を係止する状態をとり、それとともに、絶縁ハウジングに配列配置された複数のコンタクトが配線板状部材における複数の接続端子部に接触接続される。
【００１３】
その後、配線板状部材における可動部分がロック部材に形成された係止部によって係止されたもとでロック部材が第２の状態をとるものとされると、ロック部材に形成された係止部が配線板状部材における可動部分に対する係止を解除する。
【００１４】
このようなもとで、絶縁ハウジングの内部に形成された空間拡大部は、例えば、その内部に、板状部材差込み部に差し込まれた配線板状部材に当接して配線板状部材に弾性押圧力を作用させる弾性部材が配される。斯かる場合には、板状部材差込み部に差し込まれた配線板状部材における可動部分に、それを空間拡大部から排出するように移動させようとする弾性部材からの付勢力が加えられる。
【発明の効果】
【００１５】
本願発明に係るコネクタ装置においては、上述のように、ロック部材が第１の状態をとるもとで板状部材差込み部に配線板状部材が差し込まれるとき、ロック部材に形成された係止部が、配線板状部材における可動部分に当接してその可動部分を空間拡大部に一時的に収容されるべく変形移動させるとともに、その後、配線板状部材における可動部分に隣接する係合部分に係合して可動部分を係止する状態をとり、それとともに、絶縁ハウジングに配列配置された複数のコンタクトが配線板状部材における複数の接続端子部に接触接続されるので、板状部材差込み部に差し込まれた配線板状部材の板状部材差込み部からの不所望な抜脱を確実に阻止することができ、それに伴って、絶縁ハウジングに配列配置された複数のコンタクトが配線板状部材における複数の接続端子部に接触接続された状態を安定に維持することができる。
【００１６】
それに加えて、配線板状部材における可動部分がロック部材に形成された係止部によって係止されたもとでロック部材が第２の状態をとるものとされると、ロック部材に形成された係止部が配線板状部材における可動部分に対する係止を解除し、それにより、板状部材差込み部に差し込まれた配線板状部材を板状部材差込み部から意図的に抜脱させることができる。
【００１７】
従って、本願発明に係るコネクタ装置によれば、板状部材差込み部に差し込まれた配線板状部材をロック部材による係止状態のもとに置いて、当該配線板状部材の板状部材差込み部からの不所望な抜脱を確実に阻止することができるとともに、必要に応じて、板状部材差込み部に差し込まれた配線板状部材に対するロック部材による係止状態を、特殊な治具やそれを用いた煩わしい作業等を必要とすることなく、容易に解除することができ、それにより、配線板状部材を板状部材差込み部から意図的に抜脱させることができる。
【図面の簡単な説明】
【００１８】
【図１】本願発明に係るコネクタ装置の第１の例をそれに備えられたロック部材が第１の状態におかれたもとで示す斜視図である。
【図２】本願発明に係るコネクタ装置の第１の例をそれに備えられたロック部材が第１の状態におかれたもとで示す平面図である。
【図３】本願発明に係るコネクタ装置の第１の例をそれに備えられたロック部材が第１の状態におかれたもとで示す正面図である。
【図４】図２におけるIV−IV線断面を示す断面図である。
【図５】本願発明に係るコネクタ装置の第１の例に差し込まれるフレキシブル印刷配線基板を示す斜視図である。
【図６】本願発明に係るコネクタ装置の第１の例に、それに備えられたロック部材が第１の状態におかれたもとで、図５に示されるフレキシブル印刷配線基板が差し込まれた状態を示す斜視図である。
【図７】本願発明に係るコネクタ装置の第１の例に、それに備えられたロック部材が第１の状態におかれたもとで、図５に示されるフレキシブル印刷配線基板が差し込まれた状態を示す断面図である。
【図８】本願発明に係るコネクタ装置の第１の例に備えられたロック部材が図５に示されるフレキシブル印刷配線基板を係止する過程を示す断面図である。
【図９】本願発明に係るコネクタ装置の第１の例に備えられたロック部材が図５に示されるフレキシブル印刷配線基板を係止した状態を示す断面図である。
【図１０】本願発明に係るコネクタ装置の第１の例に図５に示されるフレキシブル印刷配線基板が差し込まれたもとで、第１の例に備えられたロック部材が第２の状態におかれた様子を示す斜視図である。
【図１１】本願発明に係るコネクタ装置の第１の例に図６に示されるフレキシブル印刷配線基板が差し込まれたもとで、第１の例に備えられたロック部材が第２の状態におかれた様子を示す断面図である。
【図１２】本願発明に係るコネクタ装置の第２の例をそれに備えられたロック部材が第１の状態におかれたもとで示す断面図である。
【図１３】本願発明に係るコネクタ装置の第２の例に備えられたロック部材が図５に示されるフレキシブル印刷配線基板を係止する過程を示す断面図である。
【図１４】本願発明に係るコネクタ装置の第２の例に備えられたロック部材が図５に示されるフレキシブル印刷配線基板を係止した状態を示す断面図である。
【発明を実施するための形態】
【００１９】
本願発明を実施するための形態は、以下に述べられる本願発明についての実施例をもって説明される。
【実施例１】
【００２０】
図１（斜視図），図２（平面図）及び図３（正面図）は、本願発明に係るコネクタ装置の第１の例を示す。
【００２１】
図１，図２及び図３において、本願発明に係るコネクタ装置の第１の例を成すコネクタ装置１０は、合成樹脂等の絶縁材料によって形成された絶縁ハウジング１１を備えている。絶縁ハウジング１１には、その正面側端面部分において開口する板状部材差込み部１２が設けられており、この板状部材差込み部１２は、それが開口する絶縁ハウジング１１の正面側端面部分１１ａから絶縁ハウジング１１の内部へと広がる絶縁ハウジング１１における内部空間部を形成している。さらに、絶縁ハウジング１１の内部には、絶縁ハウジング１１の長手方向（正面側から見て左右方向）において相互対向する左側端面部分及び右側端面部分の夫々の内側となる部分に、図２におけるIV−IV線断面を示す図４に示されるような、板状部材差込み部１２に連なる空間拡大部１１Ｓが形成されている。従って、絶縁ハウジング１１の内部には、絶縁ハウジング１１の長手方向の両端部に、各々が板状部材差込み部１２に連なる空間を増設するものとされた一対の空間拡大部１１Ｓが夫々形成されていることになる。
【００２２】
絶縁ハウジング１１は、例えば、図示されていない主配線基板に配され、それにより、コネクタ装置１０の全体が主配線基板に取り付けられたものとされる。その際、絶縁ハウジング１１における正面側端面部分１１ａとそれに対向する背面側端面部分１１ｂとに挟まれた一対の相互対向板状部分のうちの一方が主配線基板に対接する板状部分１１ｃとされて他方が解放された板状部分１１ｄとされている。以下においては、主配線基板に対接する絶縁ハウジング１１の板状部分１１ｃを下方板状部分１１ｃといい、それに対向する絶縁ハウジング１１の板状部分１１ｄを上方板状部分１１ｄというとともに、下方板状部分１１ｃから上方板状部分１１ｄに向かう方向を上向方向といい、上方板状部分１１ｄから下方板状部分１１ｃに向かう方向を下向方向という。そして、絶縁ハウジング１１における上方板状部分１１ｄには、絶縁ハウジング１１の長手方向の両端部の夫々の近傍に、図４に示されるような貫通開口部１１Ｈが形成されている。従って、絶縁ハウジング１１における上方板状部分１１ｄには一対の貫通開口部１１Ｈが形成されていることになる。このようなもとで、絶縁ハウジング１１に設けられた板状部材差込み部１２に、例えば、後述されるフレキシブル印刷配線基板が、配線板状部材を成すものとして差し込まれる。
【００２３】
絶縁ハウジング１１には、各々が弾性導電材料で形成された複数のコンタクト１３が、絶縁ハウジング１１の長手方向に沿って配列配置されて設けられている。複数のコンタクト１３の夫々は、上向方向に突出して、配線板状部材を成すフレキシブル印刷配線基板における複数の接続端子部に押圧接触するものとされる接触部１３ａと、絶縁ハウジング１１の背面側端面部分１１ｂからその外部に導出されて、絶縁ハウジング１１が配された主配線基板に設けられた配線端子に、例えば、半田付けにより接続されものとされる基板接続部１３ｂとを有しており、具体的には、フレキシブル印刷配線基板における複数の信号用，接地用あるいは電源用接続端子部に接触接続される信号用，接地用あるいは電源用コンタクトとして用いられる。そして、複数のコンタクト１３は、例えば、絶縁ハウジング１１の背面側端面部分１１ｂ側から、絶縁ハウジング１１の内部へと押圧挿入されて、その接触部１３ａが設けられた部分が板状部材差込み部１２内に配されるものとされる。
【００２４】
このようにして複数のコンタクト１３が絶縁ハウジング１１に配列配置されて設けられていることにより、絶縁ハウジング１１における上方板状部分１１ｄは、複数のコンタクト１３の配列に板状部材差込み部１２を介して対向していることになる。
【００２５】
これらの複数のコンタクト１３の夫々は、配線板状部材を成すフレキシブル印刷配線基板が絶縁ハウジング１１に設けられた板状部材差込み部１２に差し込まれたとき、差し込まれたフレキシブル印刷配線基板における複数の接続端子部のうちの対応するものに接触部１３ａを押圧接触させ、それにより、複数のコンタクト１３がフレキシブル印刷配線基板における複数の接続端子部に夫々接触接続される。その結果、板状部材差込み部１２に差し込まれたフレキシブル印刷配線基板における複数の接続端子部が、複数のコンタクト１３を介して、絶縁ハウジング１１が配された主配線基板に設けられた配線端子に連結されることになる。
【００２６】
また、コネクタ装置１０は、絶縁ハウジング１１における板状部材差込み部１２が開口する部分である正面側端面部分１１ａを除く他の部分の外面を部分的に覆う導電性のシェル部材１４を、絶縁ハウジング１１に取り付けられたものとして備えている。このシェル部材１４は、金属板が加工成形されて構成されており、複数のコンタクト１３についての特性インピーダンス調整に貢献するため、さらには、コネクタ装置１０についての外部からの電磁波ノイズ対策のため、即ち、コネクタ装置１０における外部からの電磁波ノイズに対するシールド効果を得るためのものとして、備えられている。
【００２７】
シェル部材１４は、絶縁ハウジング１１における正面側端面部分１１ａ，背面側端面部分１１ｂ及び下方板状部分１１ｃについてはそれらを覆っていないが、絶縁ハウジング１１における上方板状部分１１ｄ，左側端面部分及び右側端面部分についてはそれらを略全体的に覆っている。また、シェル部材１４には、複数の接地接続端子部１４ａが設けられていて、これらの接地接続部１４ａの夫々は、絶縁ハウジング１１が配される主配線基板に設けられた接地端子に、例えば、半田付けにより連結される。
【００２８】
このように、シェル部材１４が、絶縁ハウジング１１における上方板状部分１１ｄを覆うとともに絶縁ハウジング１１における左側端面部及び右側端面部の夫々を覆い、それに設けられた複数の接地接続端子部１４ａが、主配線基板に設けられた接地端子に、例えば、半田付けにより連結されるものとされることにより、シェル部材１４から複数のコンタクト１３の夫々までの距離が比較的小なる略均等なものとなって、シェル部材１４の複数のコンタクト１３の特性インピーダンス調整への貢献度合が大とされ、さらに、シェル部材１４による外部からの電磁波ノイズに対するシールド効果が効果的に得られることになるとともに、シェル部材１４をコネクタ装置１０の主配線基板への固定に利用できることになる。複数のコンタクト１３の特性インピーダンス調整とは、複数のコンタクト１３についての特性インピーダンスを、複数のコンタクト１３が夫々接触接続されるフレキシブル印刷配線基板における複数の接続端子部の特性インピーダンスと整合させるための調整である。
【００２９】
また、シェル部材１４には、絶縁ハウジング１１の上方板状部分１１ｄにおける左側端面部分の近傍部分及び右側端面部分の近傍部分に形成された一対の貫通開口部１１Ｈに夫々対応する２箇所に、一対の貫通開口部１４Ｈが夫々形成されている。それにより、シェル部材１４には図４に示されるように、絶縁ハウジング１１の上方板状部分１１ｄに形成された貫通開口部１１Ｈとシェル部材１４に形成された貫通開口部１４Ｈとは、互いに重なるように配されている。さらに、シェル部材１４には、ロック手段を成すロック部材１５が、シェル部材１４に対して回動可能に軸着されて、シェル部材１４の外側に配されるように設けられている。シェル部材１４に軸着されたロック部材１５は、シェル部材１４が取り付けられた絶縁ハウジング１１に対して回動可能とされていることになり、図１〜４に示されるような、絶縁ハウジング１１における板状部材差込み部１２に近接した第１の状態と、後述される図１０及び図１１に示されるような、絶縁ハウジング１１における板状部材差込み部１２から離隔した第２の状態とを選択的にとる。
【００３０】
ロック部材１５は、シェル部材１４と同様に、金属板が加工成形されて構成されており、第１の状態をとるときシェル部材１４における絶縁ハウジング１１の上方板状部分１１ｄを覆う部分を部分的に覆う平板状部１６を有している。絶縁ハウジング１１の上方板状部分１１ｄは、絶縁ハウジング１１における複数のコンタクト１３の配列に板状部材差込み部１２を介して対向するものとされており、ロック部材１５の平板状部１６は、ロック部材１５が第１の状態をとるときシェル部材１４における絶縁ハウジング１１の上方板状部分１１ｄを覆う部分を部分的に覆うものとされているので、ロック部材１５は、第１の状態をとるとき絶縁ハウジング１１における複数のコンタクト１３の配列に板状部材差込み部１２を介して対向する上方板状部分１１ｄを覆う平板状部１６を有していることになる。そして、ロック部材１５の平板状部１６は、ロック部材１５が第１の状態をとるとき、シェル部材１４における絶縁ハウジング１１の上方板状部分１１ｄを覆う部分に当接もしくは近接する位置をとり、ロック部材１５が第２の状態をとるとき、シェル部材１４における絶縁ハウジング１１の上方板状部分１１ｄを覆う部分から離隔した位置をとる。
【００３１】
ロック部材１５は、その平板状部１６に一対の係止部１７が形成されたものとされており、一対の係止部１７の夫々は、ロック部材１５が第１の状態をとるとき、絶縁ハウジング１１の上方板状部分１１ｄに形成された貫通開口部１１Ｈとシェル部材１４に形成された貫通開口部１４Ｈとを通じて絶縁ハウジング１１に設けられた板状部材差込み部１２内に突出する状態をとり、また、ロック部材１５が第２の状態をとるとき、絶縁ハウジング１１の上方板状部分１１ｄに形成された貫通開口部１１Ｈとシェル部材１４に形成された貫通開口部１４Ｈとを通じて絶縁ハウジング１１に設けられた板状部材差込み部１２外に退避する状態をとる。ロック部材１５が第１の状態をとって板状部材差込み部１２内に突出するものとされる一対の係止部１７の夫々は、板状部材差込み部１２に差し込まれたフレキシブル印刷配線基板を係止する役割を果たし、また、ロック部材１５が第２の状態をとって板状部材差込み部１２外に退避するものとされる一対の係止部１７の夫々は、板状部材差込み部１２に差し込まれたフレキシブル印刷配線基板に対する係止を解除する。
【００３２】
さらに、シェル部材１４における絶縁ハウジング１１の左側端面部分及び右側端面部分を夫々覆う一対の側端部分の夫々に、突起を成す係合部１８（（第１の係合部）一対の係合部１８のうちの一つは図にあらわれない。）が形成されるとともに、ロック部材１５における平板状部１６における絶縁ハウジング１１の長手方向（正面側から見て左右方向）の両側部の夫々に、透孔を成す係合部１９（（第２の係合部）一対の係合部１９のうちの一つは図にあらわれない。）が形成されている。そして、ロック部材１５が第１の状態をとるとき、シェル部材１４に形成された係合部１８とロック部材１５に形成された係合部１９とが相互係合し、それにより、ロック部材１５が第１の状態に維持される。
【００３３】
図１〜４に示されるコネクタ装置１０にあっては、導電性のシェル部材１４が絶縁ハウジング１１に取り付けられたものとして備えられているが、斯かるシェル部材１４は必ず必要とされるものではなく、シェル部材１４が備えられない場合もあり得る。シェル部材１４が備えられない場合には、ロック部材１５が、例えば、絶縁ハウジング１１の左側端面部分及び右側端面部分に絶縁ハウジング１１に対して回動可能に軸着されて設けられる。絶縁ハウジング１１の左側端面部分及び右側端面部分に軸着されたロック部材１５は、絶縁ハウジング１１における板状部材差込み部１２に近接した第１の状態と絶縁ハウジング１１における板状部材差込み部１２から離隔した第２の状態とを選択的にとる。そして、ロック部材１５に形成された一対の係止部１７の夫々は、ロック部材１５が第１の状態をとるとき、絶縁ハウジング１１の上方板状部分１１ｄに形成された貫通開口部１１Ｈを通じて絶縁ハウジング１１に設けられた板状部材差込み部１２内に突出する状態をとり、また、ロック部材１５が第２の状態をとるとき、絶縁ハウジング１１の上方板状部分１１ｄに形成された貫通開口部１１Ｈを通じて絶縁ハウジング１１に設けられた板状部材差込み部１２外に退避する状態をとる。さらに、絶縁ハウジング１１の左側端面部分及び右側端面部分の夫々に、係合部１８に代る突起を成す係合部（第１の係合部）が形成され、ロック部材１５が第１の状態をとるとき、絶縁ハウジング１１に形成された係合部とロック部材１５に形成された係合部１９とが相互係合し、それにより、ロック部材１５が第１の状態に維持される。
【００３４】
図５は、コネクタ装置１０における絶縁ハウジング１１に設けられた板状部材差込み部１２に差し込まれる、配線板状部材を成すフレキシブル印刷配線基板の一例であるフレキシブル印刷配線基板３０を示す。
【００３５】
図５に示されるフレキシブル印刷配線基板３０には、その一端部に各々が細い短冊状に形成された複数の接続端子部３１が配列配置されて設けられている。また、フレキシブル印刷配線基板３０における複数の接続端子部３１を挟んで相互対向する一対の側縁部には、凹部を成す一対の係合部分３２が夫々形成されていて、一対の側縁部の夫々における係合部分３２より先端側の部分が可動部分３３とされている。一対の可動部分３３の夫々は、フレキシブル印刷配線基板３０における一対の側縁部に挟まれた複数の接続端子部３１が配列配置された部分に対して、フレキシブル印刷配線基板３０の厚み方向に変形移動することが可能とされており、また、係合部分３２は、可動部分３３に隣接している。そして、フレキシブル印刷配線基板３０においては、複数の接続端子部３１が配列配置された面が、複数の接続端子部３１が配列配置された部分, 一対の係合部分３２が形成された部分及び一対の可動部分３３とされた部分を残して、それら以外の回路構成部を含んだ部分がカバーフィルム３４によって覆われたものとされている。
【００３６】
このようなフレキシブル印刷配線基板３０は、コネクタ装置１０が図１〜４に示されるようにロック部材１５が第１の状態をとるものとされ、シェル部材１４に形成された係合部１８とロック部材１５に形成された係合部１９とが相互係合したもとで、コネクタ装置１０における絶縁ハウジング１１に設けられた板状部材差込み部１２に、複数の接続端子部３１が配列配置された面を絶縁ハウジング１１の下方板状部分１１ｃに向けた状態をもって差し込まれる。それにより、図６に示されるような、コネクタ装置１０における絶縁ハウジング１１に設けられた板状部材差込み部１２にフレキシブル印刷配線基板３０が差し込まれた状態が得られる。
【００３７】
図６に示される状態のもとにあっては、図７に示されるように、絶縁ハウジング１１に設けられた板状部材差込み部１２内において、絶縁ハウジング１１に配列配置された複数のコンタクト１３の夫々における接触部１３ａが、板状部材差込み部１２に差し込まれたフレキシブル印刷配線基板３０における複数の接続端子部３１のうちの対応するものに押圧接触する。それにより、板状部材差込み部１２に差し込まれたフレキシブル印刷配線基板３０における複数の接続端子部３１が、複数のコンタクト１３を介して、絶縁ハウジング１１が配された主配線基板に設けられた配線端子に電気的に連結される。
【００３８】
また、上述のように、ロック部材１５が第１の状態をとるものとされたもとで、コネクタ装置１０における絶縁ハウジング１１に設けられた板状部材差込み部１２にフレキシブル印刷配線基板３０が差し込まれるにあたっては、その過程において、フレキシブル印刷配線基板３０に設けられた一対の可動部分３３の先端が、板状部材差込み部１２内に突出する状態をとるロック部材１５の平板状部１６に形成された一対の係止部１７に夫々突き当たり、続いて、図８に示されるように、板状部材差込み部１２内に突出する係止部１７が、フレキシブル印刷配線基板３０の可動部分３３に当接して、当該可動部分３３を板状部材差込み部１２に連なる空間拡大部１１Ｓに一時的に収容されるように変形移動させる。その後、フレキシブル印刷配線基板３０の板状部材差込み部１２への更なる差込みに伴って、図９に示されるように、板状部材差込み部１２内に突出する係止部１７が、フレキシブル印刷配線基板３０の可動部分３３に当接した状態から当該可動部分３３に隣接する係合部分３２に係合する状態に移行する。それにより、フレキシブル印刷配線基板３０の可動部分３３が、自らの復元力によって変形移動した状態から元の状態に戻り、係合部分３２に係合した係止部１７が、元の状態に戻った可動部分３３における係合部分３２との境界部３３ａに当接して当該可動部分３３を係止する状態をとり、フレキシブル印刷配線基板３０の板状部材差込み部１２への差込みが完了する。
【００３９】
板状部材差込み部１２への差込みが完了したフレキシブル印刷配線基板３０は、それにおける一対の側縁部に夫々設けられた一対の可動部分３３が、ロック部材１５の平板状部１６に形成された一対の係止部１７によって夫々係止されることになり、それによって、フレキシブル印刷配線基板３０の全体が一対の係止部１７によって係止され、板状部材差込み部１２からの不所望な抜脱が阻止される状態におかれる。その結果、絶縁ハウジング１１に設けられた板状部材差込み部１２内において、絶縁ハウジング１１に配列配置された複数のコンタクト１３の夫々における接触部１３ａが、板状部材差込み部１２に差し込まれたフレキシブル印刷配線基板３０における複数の接続端子部３１のうちの対応するものに押圧接触した状態が安定に維持される。
【００４０】
その後、ロック部材１５の平板状部１６に形成された一対の係止部１７によって板状部材差込み部１２に差し込まれたフレキシブル印刷配線基板３０が係止されているもとで、例えば、手動操作によって、シェル部材１４に形成された係合部１８とロック部材１５に形成された係合部１９との相互係合が解除されて、図１０及び図１１に示されるように、ロック部材１５が、シェル部材１４に対して回動せしめられて第１の状態から第２の状態に移行せしめられると、ロック部材１５の平板状部１６に形成された一対の係止部１７の夫々が、絶縁ハウジング１１の上方板状部分１１ｄに形成された貫通開口部１１Ｈとシェル部材１４に形成された貫通開口部１４Ｈとを通じて板状部材差込み部１２外に退避する状態をとる。それにより、一対の係止部１７の夫々が、板状部材差込み部１２に差し込まれたフレキシブル印刷配線基板３０における可動部分３３を係止する状態を解除する。その結果、一対の係止部１７による板状部材差込み部１２に差し込まれたフレキシブル印刷配線基板３０に対する係止が解除されて、フレキシブル印刷配線基板３０を絶縁ハウジング１１に設けられた板状部材差込み部１２から意図的に抜脱させ得ることになる。
【００４１】
上述のような本願発明に係るコネクタ装置の第１の例を成すコネクタ装置１０においては、ロック部材１５が第１の状態をとるもとで絶縁ハウジング１１に設けられた板状部材差込み部１２にフレキシブル印刷配線基板３０が差し込まれるとき、ロック部材１５の平板状部１６に形成された一対の係止部１７の夫々が、フレキシブル印刷配線基板３０における可動部分３３に当接してその可動部分３３を空間拡大部１１Ｓに一時的に収容されるように変形移動させるとともに、その後、フレキシブル印刷配線基板３０における可動部分３３に隣接する係合部分３２に係合して可動部分３３における係合部分３２との境界部分３３ａに当接して可動部分３３を係止する状態をとり、それとともに、絶縁ハウジング１１に配列配置された複数のコンタクト１３がフレキシブル印刷配線基板３０における複数の接続端子部３１に接触接続されるので、板状部材差込み部１２に差し込まれたフレキシブル印刷配線基板３０の板状部材差込み部１２からの不所望な抜脱を確実に阻止することができ、その結果、絶縁ハウジング１１に配列配置された複数のコンタクト１３がフレキシブル印刷配線基板３０における複数の接続端子部３１に接触接続された状態を、安定に維持することができる。
【００４２】
それに加えて、フレキシブル印刷配線基板３０における一対の可動部分３３がロック部材１５の平板状部１６に形成された一対の係止部１７によって夫々係止されているもとでロック部材１５が第２の状態をとるものとされると、ロック部材１５の平板状部１６に形成された一対の係止部１７の夫々がフレキシブル印刷配線基板３０における可動部分３３に対する係止を解除し、それにより、板状部材差込み部１２に差し込まれたフレキシブル印刷配線基板３０を板状部材差込み部１２から意図的に抜脱させることができる。
【００４３】
従って、コネクタ装置１０によれば、絶縁ハウジング１１に設けられた板状部材差込み部１２に差し込まれたフレキシブル印刷配線基板３０をロック部材１５による係止状態のもとに置いて、当該フレキシブル印刷配線基板３０の板状部材差込み部１２からの不所望な抜脱を確実に阻止することができるとともに、必要に応じて、板状部材差込み部１２に差し込まれたフレキシブル印刷配線基板３０に対するロック部材１５による係止状態を、特殊な治具やそれを用いた煩わしい作業等を必要とすることなく、容易に解除することができ、それにより、フレキシブル印刷配線基板３０を板状部材差込み部１２から意図的に抜脱させることができる。
【実施例２】
【００４４】
図１２（断面図）は、本願発明に係るコネクタ装置の第２の例を成すコネクタ装置４０を示す。
【００４５】
図１２に示されるコネクタ装置４０は、図１〜４に示されるコネクタ装置１０が備える各種の部材及び部分と同様の部材及び部分を多々備えて構成されており、図１２に示される部材及び部分であって図１〜４に示される部材及び部分に対応するものは、図１〜４と共通の符号が付されて示されていて、それらについての重複説明は省略される。
【００４６】
図１２に示されるコネクタ装置４０にあっては、シェル部材１４における絶縁ハウジング１１の上方板状部分１１ｄを覆う部分に、その一部から、具体的には、絶縁ハウジング１１の背面側端面部分１１ｂ側の端縁部からシェル部材１４と一体に形成されて屈曲して伸びる弾性部材３６が設けられている。この弾性部材３６は、絶縁ハウジング１１を貫通して、絶縁ハウジング１１の内部に板状部材差込み部１２に連なる空間を形成するものとして形成された空間拡大部１１Ｓ’へと伸び、空間拡大部１１Ｓ’に配されるものとされている。そして、例えば、配線板状部材を成す図５に示されるフレキシブル印刷配線基板３０が絶縁ハウジング１１に設けられた板状部材差込み部１２に差し込まれるときには、空間拡大部１１Ｓ’に配された弾性部材３６は、板状部材差込み部１２に差し込まれたフレキシブル印刷配線基板３０に絶縁ハウジング１１の下方板状部分１１ｃ側から当接して、当該フレキシブル印刷配線基板３０に弾性押圧力を作用させる。その他の構成は、図１〜４に示されるコネクタ装置１０の構成と同様である。
【００４７】
図５に示されるフレキシブル印刷配線基板３０がコネクタ装置４０における絶縁ハウジング１１に設けられた板状部材差込み部１２に差し込まれるときには、ロック部材１５が第１の状態をとるものとされて、シェル部材１４に形成された係合部１８とロック部材１５に形成された係合部１９とが相互係合したもとで、板状部材差込み部１２に、フレキシブル印刷配線基板３０が、複数の接続端子部３１が配列配置された面を絶縁ハウジング１１の下方板状部分１１ｃに向けた状態をもって差し込まれる。その際、空間拡大部１１Ｓ’に配された弾性部材３６が、絶縁ハウジング１１の下方板状部分１１ｃ側からフレキシブル印刷配線基板３０における接続端子部３１が配列配置された面に当接し、フレキシブル印刷配線基板３０に弾性押圧力を作用させる。
【００４８】
このようにして、フレキシブル印刷配線基板３０の板状部材差込み部１２への差込みが行われる際には、その差込み過程において、フレキシブル印刷配線基板３０に設けられた一対の可動部分３３の先端が、板状部材差込み部１２内に突出する状態をとるロック部材１５の平板状部１６に形成された一対の係止部１７に夫々突き当たり、続いて、図１３に示されるように、板状部材差込み部１２内に突出する係止部１７が、フレキシブル印刷配線基板３０の可動部分３３に当接して、当該可動部分３３を、フレキシブル印刷配線基板３０に作用する弾性部材３６による弾性押圧力に抗して、板状部材差込み部１２に連なる空間拡大部１１Ｓ’に一時的に収容されるように変形移動させる。
【００４９】
その後、フレキシブル印刷配線基板３０の板状部材差込み部１２への更なる差込みに伴って、図１４に示されるように、板状部材差込み部１２内に突出する係止部１７が、フレキシブル印刷配線基板３０の可動部分３３に当接した状態から当該可動部分３３に隣接する係合部分３２に係合する状態に移行する。それにより、フレキシブル印刷配線基板３０の可動部分３３が、自らの復元力とそれに加えての弾性部材３６による弾性押圧力とよって変形移動した状態から元の状態に戻り、係合部分３２に係合した係止部１７が、元の状態に戻った可動部分３３における係合部分３２との境界部３３ａに当接して当該可動部分３３を係止する状態をとり、フレキシブル印刷配線基板３０の板状部材差込み部１２への差込みが完了する。
【００５０】
斯かる際、フレキシブル印刷配線基板３０の可動部分３３には、それが変形移動した状態から元の状態に戻るにあたり、自らの復元力に加えて、板状部材差込み部１２に連なる空間拡大部１１Ｓ’に配された弾性部材３６による弾性押圧力が作用するので、可動部分３３の元の状態への復元がより迅速かつ確実に行われることになる。
【００５１】
板状部材差込み部１２への差込みが完了したフレキシブル印刷配線基板３０は、空間拡大部１１Ｓ’に配された弾性部材３６による弾性押圧力を絶縁ハウジング１１の下方板状部分１１ｃ側から受けるもとで、それにおける一対の側縁部に夫々設けられた一対の可動部分３３が、ロック部材１５の平板状部１６に形成された一対の係止部１７によって夫々係止されることになり、それによって、フレキシブル印刷配線基板３０の全体が一対の係止部１７によって係止され、板状部材差込み部１２からの不所望な抜脱が阻止される状態におかれる。
【００５２】
また、斯かる際には、絶縁ハウジング１１に設けられた板状部材差込み部１２内において、絶縁ハウジング１１に配列配置された複数のコンタクト１３の夫々における接触部１３ａが、板状部材差込み部１２に差し込まれたフレキシブル印刷配線基板３０における複数の接続端子部３１のうちの対応するものに押圧接触し、それにより、板状部材差込み部１２に差し込まれたフレキシブル印刷配線基板３０における複数の接続端子部３１が、複数のコンタクト１３を介して、絶縁ハウジング１１が配された主配線基板に設けられた配線端子に電気的に連結される。そして、フレキシブル印刷配線基板３０の全体が一対の係止部１７によって係止され、板状部材差込み部１２からの不所望な抜脱が阻止される状態におかれることにより、板状部材差込み部１２内において、複数のコンタクト１３の夫々における接触部１３ａがフレキシブル印刷配線基板３０における複数の接続端子部３１のうちの対応するものに押圧接触した状態が安定に維持される。
【００５３】
その後、ロック部材１５の平板状部１６に形成された一対の係止部１７によって板状部材差込み部１２に差し込まれたフレキシブル印刷配線基板３０が係止されているもとで、例えば、手動操作によって、シェル部材１４に形成された係合部１８とロック部材１５に形成された係合部１９との相互係合が解除されて、ロック部材１５が、シェル部材１４に対して回動せしめられて第１の状態から第２の状態に移行せしめられると、ロック部材１５の平板状部１６に形成された一対の係止部１７の夫々が、絶縁ハウジング１１の上方板状部分１１ｄに形成された貫通開口部１１Ｈとシェル部材１４に形成された貫通開口部１４Ｈとを通じて板状部材差込み部１２外に退避する状態をとる。それにより、一対の係止部１７の夫々が、板状部材差込み部１２に差し込まれたフレキシブル印刷配線基板３０における可動部分３３を係止する状態を解除する。その結果、一対の係止部１７による板状部材差込み部１２に差し込まれたフレキシブル印刷配線基板３０に対する係止が解除されて、フレキシブル印刷配線基板３０を絶縁ハウジング１１に設けられた板状部材差込み部１２から意図的に抜脱させ得ることになる。
【００５４】
このような本願発明に係るコネクタ装置の第２の例を成すコネクタ装置４０によれば、空間拡大部１１Ｓ’に弾性部材３６が配されることによる作用効果に加えて、前述の本願発明に係るコネクタ装置の第１の例を成すコネクタ装置１０によって得られる作用効果と同様の作用効果が得られる。
【産業上の利用可能性】
【００５５】
以上のような本願発明に係るコネクタ装置は、配線板状部材が差し込まれる板状部材差込み部が設けられた絶縁ハウジングと、絶縁ハウジング内に配列配置されて設けられ、板状部材差込み部に差し込まれた配線板状部材に設けられた複数の接続端子部に夫々接触接続される複数のコンタクトと、板状部材差込み部に差し込まれた配線板状部材を係止するロック部材とを備えたコネクタ装置であって、板状部材差込み部に差し込まれた配線板状部材をロック部材による係止状態のもとに置いて、当該配線板状部材の板状部材差込み部からの不所望な抜脱を確実に阻止することができるとともに、必要に応じて、板状部材差込み部に差し込まれた配線板状部材に対するロック部材による係止状態を、特殊な治具やそれを用いた煩わしい作業等を必要とすることなく、容易に解除することができるものとして、様々な電子機器等に広く適用され得るものである。
【符号の説明】
【００５６】
１０，４０・・・コネクタ装置，  １１・・・絶縁ハウジング，  １１Ｈ，１４Ｈ・・・貫通開口部，  １１Ｓ，１１Ｓ’・・・空間拡大部，  １２・・・板状部材差込み部，  １３・・・コンタクト，  １４・・・シェル部材，  １５・・・ロック部材，  １６・・・平板状部，  １７・・・係止部，  １８，１９・・・係合部，  ３０・・・フレキシブル印刷配線基板，  ３１・・・接続端子部，  ３２・・・係合部分，  ３３・・・可動部分，  ３３ａ・・・（可動部分３３の）境界部，  ３４・・・カバーフィルム，  ３６・・・弾性部材
【図１】
2016046149.tif 000003
【図２】
2016046149.tif 000004
【図３】
2016046149.tif 000005
【図４】
2016046149.tif 000006
【図５】
2016046149.tif 000007
【図６】
2016046149.tif 000008
【図７】
2016046149.tif 000009
【図８】
2016046149.tif 000010
【図９】
2016046149.tif 000011
【図１０】
2016046149.tif 000012
【図１１】
2016046149.tif 000013
【図１２】
2016046149.tif 000014
【図１３】
2016046149.tif 000015
【図１４】
2016046149.tif 000016